(57)【要約】【課題】使い勝手を向上した衣類袋を提供する。【解決手段】袋本体２の所定の折り畳み状態でファスナ部13を閉状態とすることで、第１衣類収納部11から離隔して第２衣類収納部を形成する。第１衣類収納部11と第２衣類収納部とを使い分けて様々な衣類を収納できる。第１衣類収納部11に収納した衣類C1を吊下したハンガＨの被吊下部H1をハンガ導出口17から第１衣類収納部11の外部に導出して、吊り手部３に設けた吊下係止部に吊下係止する。第１衣類収納部11に収納した衣類C1の皺や型崩れなどを防止でき、かつ、第１衣類収納部11に衣類C1を収納した状態での運搬が容易になるなど、使い勝手を向上できる。【選択図】図１
2007105098.tif 000002
【特許請求の範囲】
【請求項１】
被吊下部を有するハンガに吊下された衣類をこの吊下状態のままで少なくとも１つ以上収納可能な第１衣類収納部を内部に備えるとともに、所定の折り畳み状態でこの第１衣類収納部から離隔され衣類を収納可能な第２衣類収納部を形成する袋本体と、
この袋本体に設けられた吊り手部とを具備し、
前記袋本体は、
この袋本体の所定の折り畳み状態でこの袋本体の周囲の少なくとも一部に位置し、閉状態で前記袋本体の所定の折り畳み状態を保持して前記第２衣類収納部を形成するとともに、開状態で前記袋本体の所定の折り畳み状態の保持を解除して前記第２衣類収納部を開放するファスナ部と、
前記第１衣類収納部に収納された衣類を吊下したハンガの被吊下部を前記第１衣類収納部の外部に導出可能なハンガ導出口とを備え、
前記吊り手部は、前記ハンガ導出口から導出されたハンガの被吊下部を吊下係止する吊下係止部を備えている
ことを特徴とした衣類袋。
【請求項２】
吊下係止部は、
吊り手部から突設された吊下係止部本体と、
この吊下係止部本体と前記吊り手部との少なくともいずれか一方に設けられ、前記吊下係止部本体側と前記吊り手部側とのいずれか他方に固定されることで前記吊下係止部本体を前記吊り手部に対してループ状に形成可能な面ファスナとを備えている
ことを特徴とした請求項１記載の衣類袋。
【請求項３】
袋本体は、第１衣類収納部に収納された衣類を、この第１衣類収納部の外部から目視可能にする窓部を備えている
ことを特徴とした請求項１または２記載の衣類袋。
【発明の詳細な説明】
【技術分野】
【０００１】
本発明は、衣類を吊下状態のままで収納可能な第１衣類収納部を内部に備えた衣類袋に関する。
【背景技術】
【０００２】
従来、例えば衣類のクリーニング店などにおいては、顧客から受注した衣類を顧客に返却する際に、これら衣類を個別に合成樹脂製の使い捨ての袋体に包装して顧客に返却している。そして、このように袋体で包装することにより、一旦クリーニングされた衣類が再度汚れてしまうことを防止する。
【０００３】
しかしながら、このような合成樹脂製の使い捨ての袋体は、近年の石油価格の高騰に伴って値段も高騰しており、また、リサイクルのために使用済み後の処理が必要になるなど、コスト面、リサイクル面などの観点から、その使用量を抑制することが好ましい。
【０００４】
そこで、この使い捨ての合成樹脂製の袋体に代えて、クリーニング店と、その顧客との間で、耐久性を有し再利用可能な布袋などの袋体を用い、顧客が汚れた衣類をクリーニング店に提出する際と、クリーニング店が顧客にクリーニング処理済みの衣類を返却する際とのそれぞれに利用することが考えられる。このような袋体は、例えばクリーニング店に顧客が会員登録した時点でクリーニング店から配布される。
【０００５】
ところで、このような袋体は、顧客が使用するときは汚れた衣類が収納される一方、クリーニング店が使用するときはクリーニング処理済みの衣類が収納されることから、クリーニング処理品を袋体に収納したときに、汚れた衣類から袋体内部に付着した汚れがクリーニング処理品に付着するおそれがあるという問題点を有している。
【０００６】
また、クリーニングされる衣類は、例えば背広などのように丈の短いものや、オーバーコートなどのように丈の長いものがあるため、袋体としては、様々な寸法の衣類に対応できることが好ましい。
【０００７】
そして、このようなやり取りに使用される従来の衣類袋として、それぞれ筒状の一対の内袋と外袋とから形成した二重袋を、内袋と外袋とを互いに反対方向に展開することにより内袋と外袋とが一体の筒状の一重袋に変形可能とし、汚れた衣類を二重袋に収納可能にするとともに、クリーニング処理品を一重袋に収納可能にするものが知られている（例えば、特許文献１参照。）。
【特許文献１】特開平１０−２９５４２４号公報（第３−４頁、図１−４）
【発明の開示】
【発明が解決しようとする課題】
【０００８】
しかしながら、上述の衣類袋では、汚れた衣類を二重袋に、クリーニング処理品を一重袋に、それぞれ収納できるに過ぎず、衣類の収納量が充分とはいえないという問題点を有している。この点、袋体にポケット部などを設けることも考えられるが、構成が複雑化するおそれがある。
【０００９】
さらに、例えばスーツなどの衣類を一重袋に収納した際に、この一重袋を折り畳んで運搬などすると、袋体内にてスーツが自重で下方に重なり、皺や型崩れなどが発生するおそれもある。
【００１０】
この結果、上述の衣類袋では、使い勝手が良好でないという問題点を有している。
【００１１】
本発明は、このような点に鑑みなされたもので、使い勝手を向上した衣類袋を提供することを目的とする。
【課題を解決するための手段】
【００１２】
請求項１記載の衣類袋は、被吊下部を有するハンガに吊下された衣類をこの吊下状態のままで少なくとも１つ以上収納可能な第１衣類収納部を内部に備えるとともに、所定の折り畳み状態でこの第１衣類収納部から離隔され衣類を収納可能な第２衣類収納部を形成する袋本体と、この袋本体に設けられた吊り手部とを具備し、前記袋本体は、この袋本体の所定の折り畳み状態でこの袋本体の周囲の少なくとも一部に位置し、閉状態で前記袋本体の所定の折り畳み状態を保持して前記第２衣類収納部を形成するとともに、開状態で前記袋本体の所定の折り畳み状態の保持を解除して前記第２衣類収納部を開放するファスナ部と、前記第１衣類収納部に収納された衣類を吊下したハンガの被吊下部を前記第１衣類収納部の外部に導出可能なハンガ導出口とを備え、前記吊り手部は、前記ハンガ導出口から導出されたハンガの被吊下部を吊下係止する吊下係止部を備えているものである。
【００１３】
請求項２記載の衣類袋は、請求項１記載の衣類袋において、吊下係止部は、吊り手部から突設された吊下係止部本体と、この吊下係止部本体と前記吊り手部との少なくともいずれか一方に設けられ、前記吊下係止部本体側と前記吊り手部側とのいずれか他方に固定されることで前記吊下係止部本体を前記吊り手部に対してループ状に形成可能な面ファスナとを備えているものである。
【００１４】
請求項３記載の衣類袋は、請求項１または２記載の衣類袋において、袋本体は、第１衣類収納部に収納された衣類を、この第１衣類収納部の外部から目視可能にする窓部を備えているものである。
【発明の効果】
【００１５】
請求項１記載の衣類袋によれば、袋本体の所定の折り畳み状態でファスナ部を閉状態とすることで、ハンガに吊下された衣類をこの吊下状態のままで少なくとも１つ以上収納可能な袋本体内部の第１衣類収納部から離隔されて第２衣類収納部が形成されることにより、これら第１衣類収納部と第２衣類収納部とを使い分けて様々な衣類を収納できるとともに、第１衣類収納部に収納された衣類を吊下したハンガの被吊下部をハンガ導出口から第１衣類収納部の外部に導出して、吊り手部に設けられた吊下係止部に吊下係止することで、第１衣類収納部に収納された衣類の皺や型崩れなどを防止でき、かつ、第１衣類収納部に衣類を収納した状態での運搬が容易になるなど、使い勝手を向上できる。
【００１６】
請求項２記載の衣類袋によれば、請求項１記載の衣類袋の効果に加えて、吊下係止部本体と吊り手部との少なくともいずれか一方に設けた面ファスナを、吊下係止部本体側と吊り手部側とのいずれか他方に固定することで吊下係止部本体を吊り手部に対してループ状に形成可能とすることにより、ハンガ導出口から第１衣類収納部の外部に導出したハンガの被吊下部を、吊下係止部に、より容易に吊下係止できる。
【００１７】
請求項３記載の衣類袋によれば、請求項１または２記載の衣類袋の効果に加えて、第１衣類収納部に収納された衣類を、この第１衣類収納部の外部から目視可能にする窓部を袋本体に設けることで、第１衣類収納部に収納された衣類を、この第１衣類収納部から取り出すことなく確認でき、使い勝手をより向上できる。
【発明を実施するための最良の形態】
【００１８】
以下、本発明の一実施の形態の構成を図１ないし図８を参照して説明する。
【００１９】
図１ないし図３において、１は衣類袋を示し、この衣類袋１は、例えばクリーニング店とその顧客との間での衣類のやり取りに使用されるものである。そして、この衣類袋１は、例えば不織布などで形成され図１に示す展開状態で略四角形状の袋本体２と、この袋本体２に一体に設けられた吊り手部３，３とを有している。なお、以下、図１に示す上下左右方向を上下左右として説明する。
【００２０】
袋本体２は、図１および図２に示すように、外側に位置する外布部５と、この外布部５の内側に重ね合わされた一対の内布部６，６とを備え、これら外布部５と内布部６，６との間に、クリーニング処理されハンガＨに吊下されたスーツなどの衣類C1を収納可能な第１衣類収納部11が形成されている。また、この袋本体２は、図８に示すように、例えば袋本体２を上下方向に略３等分する領域A1，A2，A3にて３つ折りに折り畳み可能であり、この折り畳み状態で図３に示す第２衣類収納部12が形成される。さらに、この袋本体２には、折り畳み状態を保持するファスナ部13が設けられている。
【００２１】
そして、袋本体２は、衣類の丈および幅などの長さに対応して形成され、本実施の形態では、領域A1ないし領域A3が、例えば丈が最も長いロングコートの丈に対応する長さに形成されており、領域A1ないし領域A2が、スーツの丈に対応する長さに形成されている。ここで、領域A1ないし領域A3とは、領域A1から領域A3までの袋本体２の全体の領域を示し、領域A1ないし領域A2とは、領域A1から領域A2までの袋本体２の全体の領域を示す。また、この袋本体２には、図示しないが、顧客のＩＤなどが添付されている。
【００２２】
外布部５は、略四角形状に形成され、図１および図２に示す袋本体２の展開状態での外面をなすとともに、図３および図８に示す袋本体２の折り畳み状態で、領域A3に対応する部分が第２衣類収納部12の内側面をなすものである。
【００２３】
図１および図２に示すように、内布部６，６のそれぞれは、外布部５の約半分の幅寸法を有する略四角形状に形成され、一方の内布部６が外布部５の左側に位置し、他方の内布部６が外布部５の右側に位置して、互いに重ならないように配設されて、図１および図２に示す袋本体２の展開状態での外面をなすとともに、図３および図８に示す袋本体２の折り畳み状態で、領域A1に対応する部分が第２衣類収納部12の内側面をなし、かつ、他の領域A2，A3に対応する部分が畳み込まれて互いに対向するものである。
【００２４】
また、これら内布部６，６は、外布部５の外側縁側がこの外布部５に縫着され、外布部５の幅方向中心域で互いに隣接する側部間が、第１衣類収納部11への収納口15となり、この収納口15が上下方向に沿って設けられた中央ファスナ部16のファスナ16aにより開閉可能に設けられている。
【００２５】
さらに、これら内布部６，６の中央ファスナ部16の上端部は、外布部５に縫着されておらずハンガ導出口17が形成され、このハンガ導出口17からは、図７に示すように、第１衣類収納部11に衣類C1とともに収納されたハンガＨの被吊下部H1を第１衣類収納部11の外部へと上方に導出可能となっている。
【００２６】
そして、一方の内布部６には、例えば領域A1にて、例えば四角形状などの窓部18が開口形成されている。この窓部18には、透明な樹脂フィルムなどが配設され、第１衣類収納部11に収納された衣類C1の種類および色柄などを第１衣類収納部11の外部から目視可能となっている。
【００２７】
第１衣類収納部11は、クリーニングが完了した、例えばスーツ、あるいはロングコートなどの、折り畳むと嵩張る、あるいは皺や型崩れを発生させたくない衣類C1を、ハンガＨに吊下されたままの状態で、無包装で内部に複数収容可能となっている。
【００２８】
第２衣類収納部12は、図８に示すように袋本体２を３つ折りにした状態で、領域A3に位置する外布部５と、領域A1に位置する内布部６，６との間に形成されるものである。したがって、この第２衣類収納部12は、第１衣類収納部11に対して、内布部６，６を介して離隔されている。そして、この第２衣類収納部12は、図３に示すように、クリーニング店の顧客が汚れた衣類Ｃをクリーニング店に提出する際に収納するとともに、クリーニング店が例えばシャツなどの折り畳み可能で比較的嵩張らないクリーニング完了後の衣類C2を、返却の際に合成樹脂製の袋体であるポリ袋Ｐに包装して収納する部分である。
【００２９】
図１に示すように、ファスナ部13は、袋本体２の領域A1，A2全体の外周縁部に設けられ、袋本体２の折り畳み状態（図８）で、左右それぞれからファスナ13a，13aを閉じることが可能となっている。そして、このファスナ部13は、閉状態で袋本体２の折り畳み状態を保持して、第２衣類収納部12を形成するとともに、開状態で袋本体２の折り畳み状態の保持を解除して第２衣類収納部12を開放するものである。
【００３０】
一方、各吊り手部３は、袋本体２を図６に示すように折り畳んだ状態で運搬する際などに把持されるもので、ファスナ部13に隣接して設けられ、袋本体２の領域A1の上側と、領域A2の下側とのそれぞれにて、幅方向の略中央にループ状に縫着され、この縫着部が縫着布19により補強されている。また、一方の吊り手部３には、図４および図５に示すように、ハンガ導出口17から導出されたハンガＨの被吊下部H1を吊下係止する吊下係止部21が設けられている。
【００３１】
この吊下係止部21は、一方の吊り手部３から突設された帯状の吊下係止部本体23と、この吊下係止部本体23の先端と他方の吊り手部３とに設けられた面ファスナ24，25とを有している。そして、面ファスナ24，25は、例えば一方がループ部材、他方がフック部材となっており、吊下係止部本体23を、ハンガＨの被吊下部H1を吊り手部３に係止するように吊り手部３に対してループ状とした状態で互いに接合されることで、このループ形状が保持され、衣類C1（図１）を吊下した状態でハンガＨが吊り手部３と一体的に把持可能となっている。
【００３２】
次に、上記一実施の形態の作用を説明する。
【００３３】
まず、顧客は、図８に示すように、袋本体２の領域A3を、内布部６を内側として領域A2側に折り込みつつ、これら領域A2，A3を領域A1側へと、内布部６を内側としてさらに折り返して、袋本体２を折り畳み、図３に示すように、この折り畳み状態でファスナ部13のファスナ13a，13aを両側部に沿って閉じることで、第２衣類収納部12を形成し、この第２衣類収納部12に汚れた衣類Ｃを収納して、ファスナ部13のファスナ13a，13aを両側部から中央部まで閉じる。この状態で、顧客は衣類袋１をクリーニング店に提出する。
【００３４】
この提出された衣類Ｃは、クリーニング店にて処理した後、例えばスーツなどのように、折り畳むと嵩張るとともに皺や型崩れを発生させたくない衣類C1は、適宜ハンガＨに吊下し、シャツなどの折り畳んでもよい衣類C2は、折り畳んでポリ袋Ｐに包装する。
【００３５】
この状態で、顧客が受け取りに来た際には、クリーニング店で保管あるいは顧客が持参した衣類袋１に対して、図７に示すように中央ファスナ部16のファスナ16aを上げて収納口15から第１衣類収納部11内に衣類C1を収納して、図１に示すようにファスナ16aを下げ、上端部のハンガ導出口17からハンガＨの被吊下部H1を外部に導出する。
【００３６】
この後、上記のように袋本体２を再度折り畳み、ファスナ部13のファスナ13a，13aを両側部から中央部まで閉じるとともに、図４ないし図６に示すように、ハンガＨの被吊下部H1を、吊下係止部本体23に引っ掛けて面ファスナ24，25を接合し、ハンガＨを衣類C1とともに吊り手部３，３に吊下して把持可能とする。なお、複数の衣類C1を第１衣類収納部11に収納している場合には、各衣類C1を吊下している各ハンガＨの被吊下部H1を、吊下係止部本体23に纏めて引っ掛ける。
【００３７】
また、図３に示すように、ポリ袋Ｐにて包装した衣類C2は、上記のように折り畳んだ袋本体２の第２衣類収納部12に収納する。
【００３８】
上述したように、上記一実施の形態によれば、袋本体２の所定の折り畳み状態でファスナ部13を閉状態とすることで、第１衣類収納部11から離隔されて第２衣類収納部12が形成されることにより、例えばクリーニング処理済みのスーツなどの衣類C1は、第１衣類収納部11に収納し、汚れた衣類Ｃ、あるいはクリーニング処理済みのシャツなどの衣類C2は、第２衣類収納部12に収納するなど、これら第１衣類収納部11と第２衣類収納部12とを使い分けて様々な衣類を収納できる。
【００３９】
また、第１衣類収納部11と第２衣類収納部12とは互いに離隔されているため、汚れた衣類Ｃを第２衣類収納部12に収納してクリーニング店に提出しても、衣類C1の持ち帰り時に、汚れた衣類Ｃに由来する汚れが衣類C1に付着することがない。
【００４０】
さらに、第２衣類収納部12に衣類C2を収納する際には、ポリ袋Ｐにて包装することで、この衣類C2にも汚れた衣類Ｃに由来する汚れが付着することがない。
【００４１】
しかも、第１衣類収納部11に収納した衣類C1は無包装でよいから、第２衣類収納部12に収納する衣類C2を使い捨てのポリ袋Ｐにて包装しても、全体としてのポリ袋Ｐによる包装量は抑制でき、ごみを減らして環境に配慮しつつコストの削減が可能になる。
【００４２】
そして、第１衣類収納部11に収納された衣類C1を吊下したハンガＨの被吊下部H1をハンガ導出口17から第１衣類収納部11の外部に導出して、吊り手部３に設けられた吊下係止部21に吊下係止することで、第１衣類収納部11に収納された衣類C1に対して重力に抗する張力が作用するため、皺や型崩れなどを、より確実に防止でき、かつ、第１衣類収納部11に衣類C1を収納した状態での衣類袋１の運搬が容易になる。
【００４３】
これらの結果、衣類袋１の使い勝手を向上できる。
【００４４】
また、袋本体２の領域A1ないし領域A3をロングコートの丈に対応させることで、ロングコートを第１衣類収納部11に収納可能になるとともに、領域A1ないし領域A2をスーツの丈に対応させることで、スーツを第１衣類収納部11に収納した状態で袋本体２を折り畳んだ際に、スーツと交差する折り線が１箇所のみとなり、スーツに折り線が形成されにくくなる。
【００４５】
さらに、袋本体２の折り畳み状態を保持するファスナ部13を、第２衣類収納部12の形成および開閉に利用することで、袋本体に外ポケットを設ける場合と比較して、袋本体２の構成を簡略化できる。
【００４６】
そして、吊下係止部本体23に設けた面ファスナ24を、吊り手部３に設けた面ファスナ25に固定することで吊下係止部本体23を吊り手部３に対してループ状に形成可能とすることにより、ハンガ導出口17から第１衣類収納部11の外部に導出したハンガＨの被吊下部H1を、吊下係止部21に、より容易に吊下係止できるとともに、ハンガＨに吊下した衣類C1を第１衣類収納部11に複数収納した場合でも、各ハンガＨの被吊下部H1を吊下係止部本体23により、容易に纏めることができる。
【００４７】
また、第１衣類収納部11に収納された衣類C1を、この第１衣類収納部11の外部から目視可能にする窓部18を袋本体２に設けることで、第１衣類収納部11に収納された衣類C1を、この第１衣類収納部11から取り出すことなく確認でき、使い勝手をより向上できる。
【００４８】
なお、上記一実施の形態において、窓部18の形状、および、設ける位置などは、袋本体２の任意の位置とすることが可能であり、第１衣類収納部11に収納される衣類C1の種類などに応じて最も確認し易い位置とすることが好ましい。
【００４９】
また、面ファスナ24，25は、吊り手部３自体、あるいは吊下係止部本体23自体に係止できるフック部材とすれば、いずれか一方のみを設けるだけでもよい。
【００５０】
さらに、吊下係止部21としては、予めループ状に形成したものなど、任意のものとすることができる。
【００５１】
そして、袋本体２は、例えば２つ折りにするもの、あるいは４つ折り以上にするものなどとしてもよい。
【００５２】
また、吊り手部３は、例えば折り畳み状態の袋本体２の両面に亘って着脱できるように１つ設けるなどの構成とすることも可能である。
【図面の簡単な説明】
【００５３】
【図１】本発明の一実施の形態の衣類袋の展開状態の内面側を示す平面図である。
【図２】同上衣類袋の展開状態の外面側を示す平面図である。
【図３】同上衣類袋の折り畳み状態での使用方法の一例を示す斜視図である。
【図４】同上衣類袋の一部を示す斜視図である。
【図５】同上衣類袋の吊下係止部の使用方法を示す斜視図である。
【図６】同上衣類袋の折り畳み状態を示す平面図である。
【図７】同上衣類袋の展開状態での使用方法の一例を示す平面図である。
【図８】同上衣類袋の折り畳み状態を示す斜視図である。
【符号の説明】
【００５４】
１    衣類袋
２    袋本体
３    吊り手部
11    第１衣類収納部
12    第２衣類収納部
13    ファスナ部
17    ハンガ導出口
18    窓部
21    吊下係止部
23    吊下係止部本体
24，25    面ファスナ
Ｃ，C1，C2    衣類
Ｈ    ハンガ
H1    被吊下部
【図１】
2007105098.tif 000003
【図２】
2007105098.tif 000004
【図３】
2007105098.tif 000005
【図４】
2007105098.tif 000006
【図５】
2007105098.tif 000007
【図６】
2007105098.tif 000008
【図７】
2007105098.tif 000009
【図８】
2007105098.tif 000010